(57)【要約】【課題】コミュニティに対するプレイヤの帰属意識を高める。【解決手段】本発明は、所定のゲームをプレイする複数のプレイヤから構成されるコミュニティを、複数のプレイヤにそれぞれ提供するコミュニティ提供プログラムであって、コンピュータに、所定のゲームをプレイすることを通してプレイヤが保有している媒介情報と引き換えに、コミュニティに対応付けられた仮想店舗から、所定のゲームにおいて使用可能なゲーム媒体を取得する取得機能と、取得機能によって取得可能となるゲーム媒体を、コミュニティに設定された属性情報に応じて決定する決定機能とを実現させる。【選択図】図１
2015223349.tif 000002
【特許請求の範囲】
【請求項１】
所定のゲームをプレイする複数のプレイヤから構成されるコミュニティを、当該複数のプレイヤにそれぞれ提供するコミュニティ提供プログラムであって、
コンピュータに、
前記所定のゲームをプレイすることを通してプレイヤが保有している媒介情報と引き換えに、前記コミュニティに対応付けられた仮想店舗から、当該所定のゲームにおいて使用可能なゲーム媒体を取得する取得機能と、
前記取得機能によって取得可能となるゲーム媒体を、前記コミュニティに設定された属性情報に応じて決定する決定機能とを実現させるコミュニティ提供プログラム。
【請求項２】
前記属性情報は、前記複数のプレイヤが前記コミュニティに前記媒介情報をそれぞれ付与した量に応じて、前記仮想店舗の規模が変更される情報であり、
前記決定機能は、前記仮想店舗の規模にさらに応じて取得可能となるゲーム媒体を決定することを特徴とする請求項１に記載のコミュニティ提供プログラム。
【請求項３】
前記コミュニティ提供プログラムは、前記コンピュータに、
前記ゲーム媒体を選択可能に表示することによって、前記コミュニティに関連する関連情報を各プレイヤに提示する提示機能をさらに実現させることを特徴とする請求項１または２に記載のコミュニティ提供プログラム。
【請求項４】
前記取得機能は、前記コミュニティに所属するプレイヤと、当該コミュニティに所属しない他のプレイヤとの間で、前記ゲーム媒体を取得するために必要となる前記媒介情報の量および／または当該媒介情報の種類を、異ならせることを特徴とする請求項１から３のいずれか一項に記載のコミュニティ提供プログラム。
【請求項５】
前記ゲーム媒体は、前記所定のゲームにおいて使用可能なキャラクタに関するキャラクタ情報、当該所定のゲームにおいて使用可能なアイテムに関するアイテム情報、当該キャラクタおよび／またはアイテムの属性を変化させる属性変化情報、および、当該キャラクタおよび／またはアイテムの外観を変更する外観変更情報のうちの少なくとも１つを含むことを特徴とする請求項１から４のいずれか一項に記載のコミュニティ提供プログラム。
【請求項６】
前記コミュニティは、前記複数のプレイヤが当該コミュニティに参加しようとする意思にそれぞれ基づいて結成されることを特徴とする請求項１から５のいずれか一項に記載のコミュニティ提供プログラム。
【請求項７】
前記決定機能は、前記コミュニティを構成する複数のプレイヤが前記所定のゲームをプレイすることによって達成された当該コミュニティの成果、当該複数のプレイヤが当該所定のゲームをプレイすることによってそれぞれ達成された成果、および、各プレイヤの当該コミュニティに対する貢献の大小のうちの少なくとも１つを、前記属性情報として、前記取得機能によって取得可能となるゲーム媒体を決定することを特徴とする請求項１から６のいずれか一項に記載のコミュニティ提供プログラム。
【請求項８】
所定のゲームをプレイする複数のプレイヤから構成されるコミュニティを、当該複数のプレイヤにそれぞれ提供するコンピュータの制御方法であって、
前記所定のゲームをプレイすることを通してプレイヤが保有している媒介情報と引き換えに、前記コミュニティに対応付けられた仮想店舗から、当該所定のゲームにおいて使用可能なゲーム媒体を取得する取得ステップと、
前記取得ステップにおいて取得可能となるゲーム媒体を、前記コミュニティに設定された属性情報に応じて決定する決定ステップとを含むコンピュータの制御方法。
【請求項９】
所定のゲームをプレイする複数のプレイヤから構成されるコミュニティを、当該複数のプレイヤにそれぞれ提供するコンピュータであって、
前記所定のゲームをプレイすることを通してプレイヤが保有している媒介情報と引き換えに、前記コミュニティに対応付けられた仮想店舗から、当該所定のゲームにおいて使用可能なゲーム媒体を取得する取得部と、
前記取得部によって取得可能となるゲーム媒体を、前記コミュニティに設定された属性情報に応じて決定する決定部とを備えたコンピュータ。
【発明の詳細な説明】
【技術分野】
【０００１】
本発明は、所定のゲームをプレイする複数のプレイヤから構成されるコミュニティを、当該複数のプレイヤにそれぞれ提供するコミュニティ提供プログラム等に関するものである。
【背景技術】
【０００２】
プレイヤがゲームを遊び進めるにあたり、他のプレイヤと協力関係を築く仕組みが従来から提供されている。例えば、下記の特許文献１には、ユーザ間の良好な関係を促進してゲームへの参加を促すサーバ装置が開示されている。
【先行技術文献】
【特許文献】
【０００３】
【特許文献１】特開２０１３−２０２４２０号公報
【発明の概要】
【発明が解決しようとする課題】
【０００４】
しかし、上記の特許文献１に開示されたサーバ装置は、ゲームのプレイヤ同士が友人関係をスムースに開始することを補助する装置に過ぎず、当該友人関係（コミュニティにおける関係）を強化する装置ではない。
【０００５】
本発明は、上記の問題点に鑑みてなされたものであり、その目的は、コミュニティに対するプレイヤの帰属意識を高めることができるコミュニティ提供プログラム等を提供することである。
【課題を解決するための手段】
【０００６】
上記課題を解決するために、本発明の一態様に係るコミュニティ提供プログラムは、所定のゲームをプレイする複数のプレイヤから構成されるコミュニティを、当該複数のプレイヤにそれぞれ提供するコミュニティ提供プログラムであって、コンピュータに、所定のゲームをプレイすることを通してプレイヤが保有している媒介情報と引き換えに、コミュニティに対応付けられた仮想店舗から、当該所定のゲームにおいて使用可能なゲーム媒体を取得する取得機能と、取得機能によって取得可能となるゲーム媒体を、コミュニティに設定された属性情報に応じて決定する決定機能とを実現させる。
【０００７】
ここで、「ゲーム媒体」は、所定のゲームにおいてプレイヤに用いられる任意の電子データであり、例えば、キャラクタ、アイテム、当該キャラクタまたはアイテムの外観を変更可能な情報、当該キャラクタまたはアイテムの属性（例えば、攻撃力、守備力、経験値、体力、速度、必要アビリティポイント、必殺技、サポートスキル、使用回数）を変更する情報、仮想店舗の外観を変更する情報、および、所定のゲームにおいてゲーム画面の外観を変更するデータなどである。
【０００８】
また、「媒介情報」は、プレイヤが所定のゲームをプレイすることを通して、当該プレイヤが保有している任意の電子データであって、ゲーム媒体と交換可能な電子データであり、例えば、コイン情報（ゲーム内ポイント）、アイテム情報などである。
【０００９】
さらに、「コミュニティ」は、複数のプレイヤから構成されるグループであり、コミュニティに所属するプレイヤが連携して所定の活動（例えば、コミュニティに所属する複数のプレイヤと、他のコミュニティに所属する複数のプレイヤとがゲームを対戦したり、コミュニティに所属するプレイヤが共同で店舗を運営したりする活動などを広く含む）を行う目的で結成される。
【００１０】
また、本発明の一態様に係るコミュニティ提供プログラムにおいて、属性情報は、複数のプレイヤがコミュニティに媒介情報をそれぞれ付与した量に応じて、仮想店舗の規模が変更される情報であり、決定機能は、仮想店舗の規模にさらに応じて取得可能となるゲーム媒体を決定してよい。
【００１１】
また、本発明の一態様に係るコミュニティ提供プログラムは、コンピュータに、ゲーム媒体を選択可能に表示することによって、コミュニティに関連する関連情報を各プレイヤに提示する提示機能をさらに実現させてよい。
【００１２】
また、本発明の一態様に係るコミュニティ提供プログラムにおいて、取得機能は、コミュニティに所属するプレイヤと、当該コミュニティに所属しない他のプレイヤとの間で、ゲーム媒体を取得するために必要となる媒介情報の量および／または当該媒介情報の種類を、異ならせてよい。
【００１３】
また、本発明の一態様に係るコミュニティ提供プログラムにおいて、ゲーム媒体は、所定のゲームにおいて使用可能なキャラクタに関するキャラクタ情報、当該所定のゲームにおいて使用可能なアイテムに関するアイテム情報、当該キャラクタおよび／またはアイテムの属性を変化させる属性変化情報、および、当該キャラクタおよび／またはアイテムの外観を変更する外観変更情報のうちの少なくとも１つを含んでよい。
【００１４】
また、本発明の一態様に係るコミュニティ提供プログラムにおいて、コミュニティは、複数のプレイヤが当該コミュニティに参加しようとする意思にそれぞれ基づいて結成されてよい。
【００１５】
また、本発明の一態様に係るコミュニティ提供プログラムにおいて、決定機能は、コミュニティを構成する複数のプレイヤが所定のゲームをプレイすることによって達成された当該コミュニティの成果、当該複数のプレイヤが当該所定のゲームをプレイすることによってそれぞれ達成された成果、および、各プレイヤの当該コミュニティに対する貢献の大小のうちの少なくとも１つを、属性情報として、取得機能によって取得可能となるゲーム媒体を決定してよい。
【００１６】
上記課題を解決するために、本発明の一態様に係るコンピュータの制御方法は、所定のゲームをプレイする複数のプレイヤから構成されるコミュニティを、当該複数のプレイヤにそれぞれ提供するコンピュータの制御方法であって、所定のゲームをプレイすることを通してプレイヤが保有している媒介情報と引き換えに、コミュニティに対応付けられた仮想店舗から、当該所定のゲームにおいて使用可能なゲーム媒体を取得する取得ステップと、取得ステップにおいて取得可能となるゲーム媒体を、コミュニティに設定された属性情報に応じて決定する決定ステップとを含んでいる。
【００１７】
上記課題を解決するために、本発明の一態様に係るコンピュータは、所定のゲームをプレイする複数のプレイヤから構成されるコミュニティを、当該複数のプレイヤにそれぞれ提供するコンピュータであって、所定のゲームをプレイすることを通してプレイヤが保有している媒介情報と引き換えに、コミュニティに対応付けられた仮想店舗から、当該所定のゲームにおいて使用可能なゲーム媒体を取得する取得部と、取得部によって取得可能となるゲーム媒体を、コミュニティに設定された属性情報に応じて決定する決定部とを備えている。
【発明の効果】
【００１８】
本発明の一態様に係るコミュニティ提供プログラム、コンピュータの制御方法、および、コンピュータによれば、コミュニティを構成する各プレイヤは、当該コミュニティを特徴付けるゲーム媒体を取得できる。したがって、上記コミュニティ提供プログラム等は、コミュニティに対するプレイヤの帰属意識を高めることができるという効果を奏する。
【図面の簡単な説明】
【００１９】
【図１】本発明の実施の形態に係る携帯端末の要部構成を示すブロック図である。
【図２】上記携帯端末によって実現されるシステムの全体を概略的に示す模式図である。
【図３】外観変更情報の一例を示す模式図であり、（ａ）は、キャラクタの髪型を変更する外観変更情報を示し、（ｂ）は、当該キャラクタの服装を変更する外観変更情報を示す。
【図４】上記携帯端末が実行する処理の一例を示すフローチャートである。
【発明を実施するための形態】
【００２０】
図１〜図４に基づいて、本発明の実施の形態を説明する。
【００２１】
〔携帯端末１００の概要〕
携帯端末（コンピュータ）１００は、所定のゲームをプレイする複数のプレイヤから構成されるギルドを、当該複数のプレイヤにそれぞれ提供する情報処理装置である。上記携帯端末１００は、以下で説明する処理を実行可能な機器でありさえすればよく、例えば、スマートフォン、タブレット端末、携帯電話、家庭用ゲーム機、パーソナルコンピュータ、その他の電子機器などであってもよい。
【００２２】
ここで、上記「ギルド」は、複数のプレイヤから構成されるグループであり、ギルドに所属するプレイヤが連携して所定の活動（例えば、ギルドに所属する複数のプレイヤと、他のギルドに所属する複数のプレイヤとがゲームを対戦したり、ギルドに所属するプレイヤが共同で店舗を運営したりする活動を含む）を行う目的で結成される。プレイヤは、加入希望のギルドを選択することによって当該ギルドに加入できるほか、例えば、ゲームのプレイ開始時に所定のギルドに強制加入する場合がある。プレイヤは、所属するギルドを任意に変更可能であるため、プレイヤが自発的にギルドを移籍したり、他のギルドに所属する他のプレイヤから勧誘を受けることによって、当該他のギルドに移籍したりすることができる。
【００２３】
図２は、携帯端末１００によって実現されるシステムの全体を概略的に示す模式図である。図２に示されるように、上記所定のゲームにおいて、例えば、クエストをクリアする、イベントに参加する、他のプレイヤと対戦する（ＰｖＰ）、またはデイリーランキングに入賞するなどによって、プレイヤは報酬としてコイン（媒介情報、ポイント）を取得できる。当該プレイヤは、当該コインと引き換えに、ギルドが保有する（ギルドに対応付けられた）仮想店舗から、上記所定のゲームにおいて使用可能なゲーム媒体を取得（購入）できる。以下では、上記ゲーム媒体が、上記所定のゲームにおいて用いられるキャラクタの外観を変更可能な外観変更情報２（例えば、アバター、着せ替えアイテム、カスタマイズアイテムなど）であるとして説明を続ける。
【００２４】
プレイヤが取得可能な外観変更情報２は、ギルドに設定された属性情報３に応じて決定される。例えば、上記ギルドの種類に「忍者系」が上記属性情報３として設定されている場合、上記「忍者系」に関連する「忍装束」、「手裏剣」、「日本刀」などの外観変更情報２が取得可能となる。または、例えば、上記ギルドが保有する建物が「城」であることを示す上記属性情報３が設定されている場合、上記「城」に関連する「鎧」、「籠手」などの外観変更情報２が取得可能となる。言い換えれば、上記ギルドを特徴付ける外観変更情報２が、当該ギルドに対応付けられた仮想店舗から取得可能となる。
【００２５】
すなわち、ギルドを構成するプレイヤは、当該ギルドを特徴付ける外観変更情報２を用いて、上記所定のゲームにおいて使用されるキャラクタの外観を変更することができる。言い換えれば、上記プレイヤは、「ユニフォーム」を揃えることができるため、携帯端末１００は、上記プレイヤの当該ギルドに対する帰属意識を高めることができる。また、携帯端末１００は、当該プレイヤに、当該ギルドに所属していない他のプレイヤに対して、上記「ユニフォーム」を通して当該ギルドを宣伝させることができるため、プレイヤ間の交流（ギルドの移籍など）を促進することができる。
【００２６】
図２に示されるように、上記所定のゲームにおいて、クエストをクリアするなどによって、上記プレイヤはアイテム（媒介情報）を取得することもできる。当該プレイヤは、取得したアイテムを、上記所定のゲームにおいて使用可能なデータ（例えば、キャラクタの攻撃力を上昇させるカード）に交換することができるだけでなく、自身が所属するギルドに付与する（捧げる）こともできる。後者の場合、当該プレイヤからギルドに付与されたアイテムの量・種類などに応じて上記仮想店舗の規模・種類が変化するように、上記属性情報３が変更される。例えば、上記仮想店舗の規模が拡大すると、当該仮想店舗から取得可能となる外観変更情報２の種類が増加したり、ゲーム内において希少度がより高い外観変更情報２に変更したりする。
【００２７】
すなわち、ギルドを構成するプレイヤ全員で、仮想店舗を育てることができる。言い換えれば、携帯端末１００は、同じギルドに所属するプレイヤを協働させ、当該ギルドの一体感を演出することができるため、当該プレイヤの当該ギルドに対する帰属意識をさらに高めることができる。
【００２８】
〔携帯端末１００の構成〕
図１は、携帯端末１００の要部構成を示すブロック図である。図１に示されるように、携帯端末１００は、制御部１０（外観情報取得部１１、取得範囲決定部１２、外観一覧部１３、情報送出部１４、アイテム付与部１５）、通信部２０（受信部２１、送信部２２）、入表示部４０（入力部４１、表示部４２）、および、記憶部３０を備えている。
【００２９】
制御部１０は、携帯端末１００が有する各種機能を統括的に制御する。制御部は、外観情報取得部１１、取得範囲決定部１２、外観一覧部１３、情報送出部１４、および、アイテム付与部１５を含む。
【００３０】
外観情報取得部（取得部）１１は、所定のゲームをプレイすることによって取得されるコイン情報（媒介情報）１と引き換えに、ギルド（コミュニティ）に対応付けられた仮想店舗から、当該所定のゲームにおいて使用可能な外観変更情報（ゲーム媒体）２を取得する。具体的には、プレイヤによって外観変更情報２を取得する操作が行われ、情報送出部１４からコイン情報１がサーバ２００に送信されたことにより、受信部２１によって当該サーバ２００から上記外観変更情報２が受信された場合、外観情報取得部１１は、当該外観変更情報２を上記受信部２１から取得し、記憶部３０に格納する。
【００３１】
なお、外観情報取得部１１は、ギルドに所属するプレイヤと、当該ギルドに所属しない他のプレイヤとの間で、上記外観変更情報２を取得するために必要となるコイン情報１の量および／または当該コイン情報１の種類を、異ならせてもよい。例えば、外観情報取得部１１は、上記他のプレイヤが上記外観変更情報２と引き換えるコイン情報１の量が、上記プレイヤが引き換えるコイン情報１の量よりも多くなるようにすることができる（すなわち、ギルドメンバーは割安で取得できる）。これにより、携帯端末１００は、ギルドに所属するメリットをプレイヤに提供することができる。
【００３２】
これにより、携帯端末１００は、上記他のプレイヤに対して、魅力的な外観変更情報２を提供するギルドへの参加を動機付けることができる。したがって、上記携帯端末１００は、プレイヤ同士の交流を促進することができる。なお、当該ギルドに所属するプレイヤは、上記他のプレイヤによって引き換えられたコイン情報１を用いて、当該ギルドが保有する仮想店舗を拡張・変更することができる。
【００３３】
また、外観情報取得部１１は、所定のゲームをプレイすることによって取得される引換券（媒介情報）と引き換えに、上記仮想店舗から外観変更情報２を取得してもよい。これにより、携帯端末１００は、コイン情報１と引き換える場合と比べて、当該引き換えに対するプレイヤの心理的な抵抗を軽減することができる。
【００３４】
取得範囲決定部（決定部）１２は、外観情報取得部１１によって取得可能となる外観変更情報２を、ギルドに設定された属性情報３に応じて決定する。具体的には、仮想店舗から取得可能な外観変更情報２を一覧する操作がプレイヤによって行われ、情報送出部１４からリクエスト情報５ａがサーバ２００に送信されたことにより、受信部２１によって外観変更情報２および属性情報３が受信された場合、取得範囲決定部１２は、当該属性情報３に応じて外観変更情報２を一覧する範囲を規定する決定情報５ｂを外観一覧部１３に出力する。
【００３５】
ここで、上記属性情報３は、ギルド（コミュニティ）の属性を示す情報であり、例えば、ギルドの名称、ギルドの種類（例えば、当該ギルドを所定の基準に基づいて分類するラベルであってよく、「忍者系」、「メイド系」などの種類であってよい）、ギルドのレベル、ギルドが保有する建物のレベル、所属プレイヤなどの情報を含む。
【００３６】
例えば、「手裏剣」および「ドレス」を示す外観変更情報２と、ギルドの種類が「忍者系」であることを示す属性情報３とが受信された場合、取得範囲決定部１２は、上記「手裏剣」のみを一覧することを規定する決定情報５ｂを外観一覧部１３に出力する。なお、サーバ２００が取得範囲決定部１２を備え、上記決定情報５ｂによって規定される範囲の外観変更情報２のみを携帯端末１００に送信する構成とすることもできる。
【００３７】
外観一覧部１３は、受信部２１によってサーバ２００から受信された外観変更情報２のうち、取得範囲決定部１２から入力された決定情報５ｂによって規定された外観変更情報２を、プレイヤ（携帯端末１００のユーザ）に一覧可能に提示するために、一覧情報５ｃを表示部４２に出力する。外観一覧部１３は、入力部４１から入力された座標情報５ｄに基づいて、一覧可能に提示された外観変更情報２のうちの１つが選択されたと判定される場合、当該選択の内容を示す選択情報５ｅを情報送出部１４に出力する。
【００３８】
また、外観一覧部１３は、外観変更情報２を選択可能に表示することによって、ギルドに関連する関連情報４を各プレイヤに提示する。例えば、ギルドに所属していない他のプレイヤが、当該ギルドに所属するプレイヤ（キャラクタ）によって使用されている「忍装束」を見た場合に、当該他のプレイヤが当該「忍装束」を選択すると、外観一覧部１３は、関連情報４を表示部４２に出力することによって、当該ギルドの情報（例えば、ギルドの名称、ギルドの種類、ギルドのレベル、ギルドが保有する建物のレベル、所属プレイヤなど）を上記他のプレイヤに提示する。
【００３９】
または、外観一覧部１３は、上記他のユーザが視認する画面を上記ギルドのページに遷移させてもよいし、当該ギルドの仮想店舗に関する情報を提示してもよい。さらに、外観一覧部１３は、上記ギルドに所属する意思を表明するインターフェース（例えば、「参加」ボタン）、および／または、上記「忍装束」（外観変更情報２）を取得可能にするインターフェース（例えば、「取得」ボタン）を表示してもよい。これにより、携帯端末１００は、プレイヤ同士の交流・外観変更情報２の流通を促進することができる。
【００４０】
情報送出部１４は、外観一覧部１３から選択情報５ｅが入力された場合、当該選択情報５ｅによって示される外観変更情報２と引き換え可能なコイン情報１を記憶部３０から読み出し、送信部２２を介してサーバ２００に送信する。また、情報送出部１４は、アイテム付与部１５からアイテム情報６が入力された場合、送信部２２を介して当該アイテム情報６をサーバ２００に送信する。
【００４１】
アイテム付与部１５は、所定のゲームにおいて、クエストをクリアするなどによって取得されたアイテム情報（媒介情報）６をギルドに付与する（捧げる）。このとき、アイテム付与部１５は、上記アイテム情報６を記憶部３０から読み出し、情報送出部１４に出力する。プレイヤからギルドに付与されたアイテムの量・種類などに応じて仮想店舗の規模・種類が変化するように、属性情報３が変更される。これにより、携帯端末１００は、同じギルドに所属するプレイヤを協働させ、当該ギルドの一体感を演出することができるため、当該プレイヤの当該ギルドに対する帰属意識をさらに高めることができる。
【００４２】
通信部２０は、所定の通信方式にしたがう通信網を介して外部と通信する。外部の機器（例えば、サーバ２００）との通信を実現する本質的な機能が備わってさえいればよく、通信回線、通信方式、または通信媒体などは限定されない。通信部２０は、例えばイーサネット（登録商標）アダプタなどの機器で構成できる。また、通信部２０は、例えばIEEE802.11無線通信、Bluetooth（登録商標）などの通信方式や通信媒体を利用できる。通信部２０は、受信部２１と送信部２２とを含む。
【００４３】
受信部２１は、サーバ２００から外観変更情報２および属性情報３を受信する。
【００４４】
送信部２２は、情報送出部１４から入力されたコイン情報１、リクエスト情報５ａ、およびアイテム情報６を、サーバ２００に送信する。
【００４５】
入出力部４０は、携帯端末１００の入出力を制御する。入出力部４０は、入力部４１および表示部４２を含む。
【００４６】
入力部４１は、ユーザによるタッチ操作を受け付ける。本実施の形態において、入力部４１は、ユーザによるタッチ操作によって指定された位置を検知可能なデバイス（例えば、タッチパネル）である。入力部４１は、上記指定された位置に対応する座標情報５ｄを外観一覧部１３およびアイテム付与部１５に出力する。
【００４７】
表示部４２は、ゲーム画面を表示するデバイスである。本実施の形態において、表示部４２は、液晶ディスプレイであってよい。なお、図１においては、入力部４１および表示部４２がそれぞれ有する機能を明示するために、両者を分離して示している。しかし、例えば、入力部４１がタッチパネルであり、表示部４２が液晶ディスプレイである場合、両者は一体として構成されることが好ましい。
【００４８】
記憶部３０は、例えば、ハードディスク、ＳＳＤ（silicon state drive）、半導体メモリ、ＤＶＤなど、任意の記録媒体によって構成される記憶機器であり、携帯端末１００を制御可能なゲームプログラムおよびデータ（コイン情報１、外観変更情報２、アイテム情報６など）を記憶する。
【００４９】
〔外観変更情報２の詳細〕
図３は、外観変更情報２の一例を示す模式図であり、（ａ）は、キャラクタの髪型を変更する外観変更情報２を示し、（ｂ）は、当該キャラクタの服装を変更する外観変更情報２を示す。上記外観変更情報２は、所定のゲームにおいて使用されるキャラクタの外観を変更可能な情報でありさえすれば、何であってもよい。例えば、図３の（ａ）に示されるように、キャラクタの髪型を変更する情報であってもよいし、図３の（ｂ）に示されるように、キャラクタの服装を変更する情報であってもよい。
【００５０】
外観変更情報２は、ギルドとの関連性を示す情報を含んでいてよい。例えば、図３の（ｂ）に例示されるように、外観変更情報２が服装を変更する情報である場合、当該服装にギルドのトレードマークおよび／または当該ギルドの名称が表示されていてよい。この場合、携帯端末１００は、キャラクタがギルドとの関連性を示す外観変更情報２を使用していなければ、当該キャラクタを使用するプレイヤが、当該ギルドに参加できないようにすることができる。これにより、携帯端末１００は、上記プレイヤの当該ギルドに対する帰属意識をさらに高めることができる。
【００５１】
外観変更情報２は、当該外観変更情報２を使用するキャラクタまたはアイテムの属性（例えば、攻撃力、守備力、経験値、体力、速度、必要アビリティポイント、必殺技、サポートスキル、使用回数）を変化させる情報であってもよい。例えば、キャラクタが図３の（ａ）に例示される髪型をしている場合、上記所定のゲームにおいて当該キャラクタの攻撃力が上昇してよい。この場合、当該外観変更情報２と引き換えるコイン情報１の量が多いほど、上記属性の変化量が多くなるようにしてよい。これにより、携帯端末１００は、外観変更情報２を取得することについて、各プレイヤを動機付けることができるため、上記所定のゲームに対する各プレイヤの熱意を喚起することができる。
【００５２】
同じギルドに所属するプレイヤが、それぞれのキャラクタまたはアイテムに（１）同じ外観変更情報２を適用した場合、（２）同じ仮想店舗から取得した外観変更情報２を適用した場合、（３）所定の仮想店舗において新しく出品（陳列）された外観変更情報２を適用した場合、（４）所定のゲームにおいて多くのプレイヤからの人気を得ている（すなわち、当該所定のゲームにおいて流行している）外観変更情報２を適用した場合、（５）所定のテーマに合致した外観変更情報２を適用した場合、または（６）所定の組み合わせに含まれる外観変更情報２（例えば、帽子、上着、ブーツでワンセットとなるもの）を適用した場合、携帯端末１００は、上記属性を変化させてよい。これにより、携帯端末１００は、例えば「同じユニフォームを揃える」ことについて各プレイヤを動機付けることができるため、各プレイヤの当該ギルドに対する帰属意識をさらに高めることができる。
【００５３】
携帯端末１００は、（１）仮想店舗の売り上げ（外観変更情報２と交換されたコイン情報１の量）、および／または（２）交換された外観変更情報２の数などに基づいて、複数のギルドをランキングし、所定のゲームにおける勝敗の結果を判定することができる。また、携帯端末１００は、他のプレイヤから得た投票の数に基づいて、プレイヤの外観の良さをランキングすることもできる。
【００５４】
外観変更情報２は、特定の仮想店舗でしか入手できない固有の情報であってよい。これにより、携帯端末１００は、上記特定の仮想店舗を保有するギルドに所属していない他のプレイヤに対して、当該ギルドへの参加を動機付けることができる。したがって、上記携帯端末１００は、プレイヤ同士の交流を促進することができる。
【００５５】
外観変更情報２は、複数のプレイヤの間で貸し借りできる情報であってよい。例えば、図３の（ｂ）に例示されるように、外観変更情報２が服装を変更する情報である場合、当該服装（外観変更情報２）を保有するプレイヤは、当該服装を他のプレイヤに貸すことができ、当該他のプレイヤは借りた服装を使用することができる。この場合、上記プレイヤは、上記他のプレイヤが上記服装を使用することに対して制限を課すことができてもよい（例えば、使用回数に対して制限を課す、返却期限を設定するなど）。これにより、携帯端末１００は、上記プレイヤが保有する外観変更情報２を、上記他のプレイヤが試用する機会を提供することができる。
【００５６】
外観変更情報２は、ギルドに所属するプレイヤから提供されたデータに基づいて生成された情報であってよい。例えば、外観変更情報２は、プレイヤによって指定された画像を一部または全部に含む服装であってよい。これにより、携帯端末１００は、当該プレイヤに当該外観変更情報２に対する愛着を抱かせることができるため、上記所定のゲームに対する当該プレイヤの熱意を喚起することができる。
【００５７】
ギルドに所属する各プレイヤは、上記仮想店舗に陳列する（一覧可能に表示する）外観変更情報２を変更することができる。すなわち、各プレイヤは、上記仮想店舗の品揃えを決めることができる。この場合、携帯端末１００は、当該仮想店舗において引き換えられたコイン情報１の総量に対して、外観変更情報２と引き換えられたコイン情報１の占める割合に応じて、当該外観変更情報２を出品（陳列）することを決定したプレイヤに、所定の報酬（例えば、アイテムと交換可能なチケット）を与えてよい。また、携帯端末１００は、上記総量に対する上記割合の目標値を、各プレイヤに課してもよく、この場合、当該目標値を達成したプレイヤに追加の報酬を与えてよい。これにより、携帯端末１００は、上記プレイヤの上記ギルドに対する帰属意識をさらに高めることができる。
【００５８】
仮想店舗から取得可能となる外観変更情報２および／または上記所定のゲームにおいて使用可能な外観変更情報２が、季節（現実の季節であってもよいし、ゲーム内における仮想的な季節であってもよい）に応じて変化してよい。例えば、携帯端末１００は、「冬」には「コート」、「ジャケット」などの外観変更情報２を使用可能とし、「半袖シャツ」などの外観変更情報２を使用不可能としてよい。これにより、携帯端末１００は、プレイヤに季節を意識して外観をコーディネートさせることができる。
【００５９】
〔ゲーム媒体の他の例〕
以上では、プレイヤがコイン情報１と引き換えに、ギルドが保有する仮想店舗から取得される、所定のゲームにおいて使用可能なゲーム媒体が、上記所定のゲームにおいて用いられるキャラクタの外観を変更可能な外観変更情報２（例えば、アバター、着せ替えアイテム、カスタマイズアイテムなど）であるとして説明してきたが、当該ゲーム媒体はこれ以外の情報であってもよい。
【００６０】
例えば、上記ゲーム媒体は、キャラクタ、アイテム、当該キャラクタまたはアイテムの属性（例えば、攻撃力、守備力、経験値、体力、速度、必要アビリティポイント（スキル、必殺技、特殊アイテムなどを使用するために必要となるポイント）、必殺技、サポートスキル、使用回数）を変更するデータ、上記仮想店舗の外観を変更する情報、および、上記所定のゲームにおいてゲーム画面の外観（装飾）を変更するデータなどを広く含んでよい。
【００６１】
また、プレイヤは、上記ゲーム媒体が取得可能となる仮想店舗を複数集めて、ショッピングモールを形成することができる。例えば、携帯端末１００は、プレイヤが当該ショッピングモールを構成する仮想店舗Ａにおいて服を取得することができ、仮想店舗Ｂにおいてアイテムを取得することができ、仮想店舗Ｃにおいて武器を取得することができるようにしてよい。これにより、携帯端末１００は、プレイヤの利便性を向上させるとともに、当該プレイヤに「ショッピングの楽しみ」を提供することができる。
【００６２】
この場合、上記ショッピングモールは、所定のギルドによって運営されてよい。例えば、ショッピングモールを運営するギルド（メインギルド）に、他のギルド（サブギルド）に所属する他のプレイヤがテナント料を支払うことによって、当該他のプレイヤは、当該他のギルドに対応付けられた仮想店舗を当該ショッピングモールに入居させることができる。これにより、携帯端末１００は、ギルド間の交流を促進させることができるだけでなく、多様な仮想店舗をショッピングモールに集めることができるため、プレイヤの利便性・ショッピングの楽しみを提供することができる。
【００６３】
〔携帯端末１００が実行する処理〕
図４は、携帯端末１００が実行する処理の一例を示すフローチャートである。なお、以下の説明において、カッコ書きの「〜ステップ」は、コンピュータ（携帯端末１００）の制御方法に含まれる各ステップを表す。
【００６４】
取得範囲決定部１２は、外観情報取得部１１によって取得可能な外観変更情報２の範囲を決定する（ステップ１、以下「ステップ」を「Ｓ」と略記する、決定ステップ）。外観一覧部１３は、受信部２１によってサーバ２００から受信された外観変更情報２のうち、取得範囲決定部１２から入力された決定情報５ｂによって規定された外観変更情報２を、プレイヤに一覧可能に提示する（Ｓ２）。当該プレイヤによって当該外観変更情報２を取得する操作が行われた場合（Ｓ３）、外観情報取得部１１は、当該外観変更情報２をサーバ２００から取得する（Ｓ４、取得ステップ）。
【００６５】
〔携帯端末１００が奏する効果〕
ギルドを構成するプレイヤは、当該ギルドを特徴付ける外観変更情報２を用いて、所定のゲームにおいて使用されるキャラクタの外観を変更することができるため、携帯端末１００は、上記プレイヤの当該ギルドに対する帰属意識を高めることができる。
【００６６】
〔サーバ２００が機能の一部または全部を提供する構成〕
以上では、所定のゲームをプレイする複数のプレイヤから構成されるコミュニティ（ギルド）を、当該複数のプレイヤにそれぞれ提供可能なコミュニティ提供プログラムが、携帯端末１００において実行される構成を説明した。一方、上記コミュニティ提供プログラムの一部または全部がサーバ２００において実行され、当該実行された処理の結果が上記携帯端末１００に返される構成であってもよい。本発明のコンピュータが、プレイヤ端末とネットワークを介して接続されたサーバ装置（サーバ２００）として機能する場合、ゲームの進行画面を上記サーバ装置が生成したデータに基づいて、上記プレイヤ端末において表示されるウェブ表示とし、その他のメニュー画面などを当該プレイヤ端末にインストールされているネイティブアプリによって表示するネイティブ表示とするなどの、上記サーバ装置と上記プレイヤ端末のそれぞれが処理の一部を担うハイブリッドゲームとすることもできる。これにより、サーバ２００は、上記携帯端末１００が機能を提供する場合に、当該携帯端末１００が奏する効果と同じ効果を奏する。
【００６７】
〔ソフトウェアによる実現例〕
携帯端末１００およびサーバ２００の制御ブロック（特に、制御部１０）は、集積回路（ＩＣチップ）等に形成された論理回路（ハードウェア）によって実現してもよいし、ＣＰＵ（Central Processing Unit）を用いてソフトウェアによって実現してもよい。後者の場合、携帯端末１００およびサーバ２００は、各機能を実現するソフトウェアであるコミュニティ提供プログラムの命令を実行するＣＰＵ、上記コミュニティ提供プログラムおよび各種データがコンピュータ（またはＣＰＵ）で読み取り可能に記録されたＲＯＭ（Read Only Memory）または記憶装置（これらを「記録媒体」と称する）、上記コミュニティ提供プログラムを展開するＲＡＭ（Random Access Memory）などを備えている。そして、コンピュータ（またはＣＰＵ）が上記コミュニティ提供プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記コミュニティ提供プログラムは、当該コミュニティ提供プログラムを伝送可能な任意の伝送媒体（通信ネットワークや放送波等）を介して上記コンピュータに供給されてもよい。本発明は、上記コミュニティ提供プログラムが電子的な伝送によって具現化された、搬送波に埋め込まれたデータ信号の形態でも実現され得る。
【００６８】
具体的には、本発明の各実施形態に係るコミュニティ提供プログラムは、所定のゲームをプレイする複数のプレイヤから構成されるコミュニティを、当該複数のプレイヤにそれぞれ提供するコミュニティ提供プログラムであって、コンピュータ（携帯端末１００、サーバ２００）に、取得機能、決定機能、および提示機能を実現させる。上記取得機能、決定機能、および提示機能は、上述した外観情報取得部１１、取得範囲決定部１２、および外観一覧部１３によってそれぞれ実現されることができる。詳細については上述した通りである。
【００６９】
なお、上記コミュニティ提供プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。また、前記コミュニティ提供プログラムによって実現される各機能を実現する各部を備えた携帯端末と、前記各機能とは異なる残りの機能を実現する各部を備えたサーバとを含むコミュニティ提供システムも、本発明の範疇に入る。
【００７０】
〔付記事項〕
本発明は上述したそれぞれの実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。さらに、各実施の形態にそれぞれ開示された技術的手段を組み合わせることにより、新しい技術的特徴を形成できる。
【産業上の利用可能性】
【００７１】
本発明は、スマートフォン、タブレット端末、携帯電話、家庭用ゲーム機、パーソナルコンピュータ、サーバ、ワークステーション、メインフレームなど、任意のコンピュータに広く適用することができる。
【符号の説明】
【００７２】
１：コイン情報（媒介情報）、２：外観変更情報（ゲーム媒体）、３：属性情報、６：アイテム情報（媒介情報）、１１：外観情報取得部（取得部、取得機能）、１２：取得範囲決定部（決定部、決定機能）、１３：外観一覧部（提示機能）、１００：携帯端末（コンピュータ）、２００：サーバ（コンピュータ）
【図１】
2015223349.tif 000003
【図２】
2015223349.tif 000004
【図３】
2015223349.tif 000005
【図４】
2015223349.tif 000006
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
所定のゲームをプレイする複数のプレイヤから構成されるコミュニティを、当該複数のプレイヤにそれぞれ提供するコミュニティ提供プログラムであって、
コンピュータに、
前記各プレイヤが保有している媒介情報と、所定のゲームにおいて使用可能なゲーム媒体に関する情報とを記憶部に記憶する記憶機能と、
プレイヤが当該プレイヤに対応付けて前記記憶部に記憶されている前記媒介情報と引き換えに前記コミュニティに対応付けられた仮想店舗から、前記記憶部に記憶されているいずれかのゲーム媒体を取得する取得機能と、
前記取得機能によって取得可能となるゲーム媒体を、前記コミュニティに設定された属性情報に応じて決定する決定機能とを実現させ、
前記属性情報は、コミュニティの分類を示す分類情報を含み、
前記決定機能は、前記分類が互いに異なるコミュニティに対応付けられた仮想店舗間において、前記取得機能によって取得可能となる少なくとも一つのゲーム媒体を異ならせて決定することを特徴とするコミュニティ提供プログラム。
【請求項２】
前記コミュニティ提供プログラムは、さらに、前記コンピュータに、
前記コミュニティに属するプレイヤから、ゲーム媒体の選択を示す選択情報を受け付ける受付機能を実現させ、
前記決定機能は、さらに、前記コミュニティに対応付けられた仮想店舗において、前記取得機能によって取得可能となるゲーム媒体を、前記選択情報で示されるゲーム媒体に変更することを特徴とする請求項１記載のコミュニティ提供プログラム。
【請求項３】
前記コミュニティ提供プログラムは、前記コンピュータに、
前記ゲーム媒体を選択可能に表示することによって、前記コミュニティに関連する関連情報を各プレイヤに提示する提示機能をさらに実現させることを特徴とする請求項１または２に記載のコミュニティ提供プログラム。
【請求項４】
前記取得機能は、前記コミュニティに所属するプレイヤと、当該コミュニティに所属しない他のプレイヤとの間で、前記ゲーム媒体を取得するために必要となる前記媒介情報の量および／または当該媒介情報の種類を、異ならせることを特徴とする請求項１から３のいずれか一項に記載のコミュニティ提供プログラム。
【請求項５】
前記ゲーム媒体は、前記所定のゲームにおいて使用可能なキャラクタに関するキャラクタ情報、当該所定のゲームにおいて使用可能なアイテムに関するアイテム情報、当該キャラクタおよび／またはアイテムの属性を変化させる属性変化情報、および、当該キャラクタおよび／またはアイテムの外観を変更する外観変更情報のうちの少なくとも１つを含むことを特徴とする請求項１から４のいずれか一項に記載のコミュニティ提供プログラム。
【請求項６】
前記コミュニティは、前記複数のプレイヤが当該コミュニティに参加しようとする意思にそれぞれ基づいて結成されることを特徴とする請求項１から５のいずれか一項に記載のコミュニティ提供プログラム。
【請求項７】
前記決定機能は、前記コミュニティを構成する複数のプレイヤが前記所定のゲームをプレイすることによって達成された当該コミュニティの成果、当該複数のプレイヤが当該所定のゲームをプレイすることによってそれぞれ達成された成果、および、各プレイヤの当該コミュニティに対する貢献の大小のうちの少なくとも１つを、前記属性情報として、前記取得機能によって取得可能となるゲーム媒体を決定することを特徴とする請求項１から６のいずれか一項に記載のコミュニティ提供プログラム。
【請求項８】
所定のゲームをプレイする複数のプレイヤから構成されるコミュニティを、当該複数のプレイヤにそれぞれ提供するコンピュータの制御方法であって、
前記各プレイヤが保有している媒介情報と、所定のゲームにおいて使用可能なゲーム媒体に関する情報とを記憶部に記憶する記憶ステップと、
プレイヤが当該プレイヤに対応付けて前記記憶部に記憶されている前記媒介情報と引き換えに前記コミュニティに対応付けられた仮想店舗から、前記記憶部に記憶されているいずれかのゲーム媒体を取得する取得ステップと、
前記取得ステップにおいて取得可能となるゲーム媒体を、前記コミュニティに設定された属性情報に応じて決定する決定ステップとを含み、
前記属性情報は、コミュニティの分類を示す分類情報を含み、
前記決定ステップは、前記分類が互いに異なるコミュニティに対応付けられた仮想店舗間において、前記取得ステップにおいて取得可能となる少なくとも一つのゲーム媒体を異ならせて決定することを特徴とする制御方法。
【請求項９】
所定のゲームをプレイする複数のプレイヤから構成されるコミュニティを、当該複数のプレイヤにそれぞれ提供するコンピュータであって、
前記各プレイヤが保有している媒介情報と、所定のゲームにおいて使用可能なゲーム媒体に関する情報とを記憶する記憶部と、
プレイヤが当該プレイヤに対応付けて前記記憶部に記憶されている前記媒介情報と引き換えに前記コミュニティに対応付けられた仮想店舗から、前記記憶部に記憶されているいずれかのゲーム媒体を取得する取得部と、
前記取得部によって取得可能となるゲーム媒体を、前記コミュニティに設定された属性情報に応じて決定する決定部とを実現させ、
前記属性情報は、コミュニティの分類を示す分類情報を含み、
前記決定部は、前記分類が互いに異なるコミュニティに対応付けられた仮想店舗間において、前記取得部によって取得可能となる少なくとも一つのゲーム媒体を異ならせて決定することを特徴とするコンピュータ。
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
所定のゲームをプレイする複数のプレイヤから構成されるコミュニティを、当該複数のプレイヤにそれぞれ提供するコミュニティ提供プログラムであって、
コンピュータに、
前記所定のゲームをプレイすることを通して各プレイヤ各々が保有している媒介情報と、当該所定のゲームにおいて使用可能なゲーム媒体に関する情報とを記憶部に記憶する記憶機能と、
プレイヤが当該プレイヤに対応付けて前記記憶部に記憶されている前記媒介情報と引き換えに前記コミュニティに対応付けられた仮想店舗から、前記記憶部に記憶されているいずれかのゲーム媒体を取得する取得機能と、
前記取得機能によって取得可能となるゲーム媒体を、前記コミュニティに設定された属性情報に応じて決定する決定機能とを実現させ、
前記属性情報は、コミュニティの種類を示す種類情報であり、
前記種類が互いに異なる、コミュニティに対応付けられた仮想店舗間において、前記取得機能によって取得できるゲーム媒体は異なることを特徴とする
コミュニティ提供プログラム。
【請求項２】
前記コミュニティ提供プログラムは、さらに、前記コンピュータに、
前記コミュニティに属するプレイヤから、ゲーム媒体の選択を示す選択情報を受け付ける受付機能を実現させ、
前記決定機能は、さらに、前記コミュニティに対応付けられた仮想店舗において、前記取得機能によって取得可能となるゲーム媒体を、前記選択情報で示されるゲーム媒体に変更することを特徴とする請求項１記載のコミュニティ提供プログラム。
【請求項３】
前記コミュニティ提供プログラムは、前記コンピュータに、
前記ゲーム媒体を選択可能に表示することによって、前記コミュニティに関連する関連情報を各プレイヤに提示する提示機能をさらに実現させることを特徴とする請求項１または２に記載のコミュニティ提供プログラム。
【請求項４】
前記取得機能は、前記コミュニティに所属するプレイヤと、当該コミュニティに所属しない他のプレイヤとの間で、前記ゲーム媒体を取得するために必要となる前記媒介情報の量および／または当該媒介情報の種類を、異ならせることを特徴とする請求項１から３のいずれか一項に記載のコミュニティ提供プログラム。
【請求項５】
前記ゲーム媒体は、前記所定のゲームにおいて使用可能なキャラクタに関するキャラクタ情報、当該所定のゲームにおいて使用可能なアイテムに関するアイテム情報、当該キャラクタおよび／またはアイテムの属性を変化させる属性変化情報、および、当該キャラクタおよび／またはアイテムの外観を変更する外観変更情報のうちの少なくとも１つを含むことを特徴とする請求項１から４のいずれか一項に記載のコミュニティ提供プログラム。
【請求項６】
前記コミュニティは、前記複数のプレイヤが当該コミュニティに参加しようとする意思にそれぞれ基づいて結成されることを特徴とする請求項１から５のいずれか一項に記載のコミュニティ提供プログラム。
【請求項７】
前記決定機能は、前記コミュニティを構成する複数のプレイヤが前記所定のゲームをプレイすることによって達成された当該コミュニティの成果、当該複数のプレイヤが当該所定のゲームをプレイすることによってそれぞれ達成された成果、および、各プレイヤの当該コミュニティに対する貢献の大小のうちの少なくとも１つを、前記属性情報として、前記取得機能によって取得可能となるゲーム媒体を決定することを特徴とする請求項１から６のいずれか一項に記載のコミュニティ提供プログラム。
【請求項８】
所定のゲームをプレイする複数のプレイヤから構成されるコミュニティを、当該複数のプレイヤにそれぞれ提供するコンピュータの制御方法であって、
前記各プレイヤが保有している媒介情報と、所定のゲームにおいて使用可能なゲーム媒体に関する情報とを記憶部に記憶する記憶ステップと、
プレイヤが当該プレイヤに対応付けて前記記憶部に記憶されている前記媒介情報と引き換えに前記コミュニティに対応付けられた仮想店舗から、前記記憶部に記憶されているいずれかのゲーム媒体を取得する取得ステップと、
前記取得ステップにおいて取得可能となるゲーム媒体を、前記コミュニティに設定された属性情報に応じて決定する決定ステップとを含み、
前記属性情報は、コミュニティの種類を示す種類情報を含み、
前記決定ステップは、前記種類が互いに異なるコミュニティに対応付けられた仮想店舗間において、前記取得ステップにおいて取得可能となる少なくとも一つのゲーム媒体を異ならせて決定することを特徴とする制御方法。
【請求項９】
所定のゲームをプレイする複数のプレイヤから構成されるコミュニティを、当該複数のプレイヤにそれぞれ提供するコンピュータであって、
前記各プレイヤが保有している媒介情報と、所定のゲームにおいて使用可能なゲーム媒体に関する情報とを記憶する記憶部と、
プレイヤが当該プレイヤに対応付けて前記記憶部に記憶されている前記媒介情報と引き換えに前記コミュニティに対応付けられた仮想店舗から、前記記憶部に記憶されているいずれかのゲーム媒体を取得する取得部と、
前記取得部によって取得可能となるゲーム媒体を、前記コミュニティに設定された属性情報に応じて決定する決定部とを実現させ、
前記属性情報は、コミュニティの種類を示す種類情報を含み、
前記決定部は、前記種類が互いに異なるコミュニティに対応付けられた仮想店舗間において、前記取得部によって取得可能となる少なくとも一つのゲーム媒体を異ならせて決定することを特徴とするコンピュータ。